(57)【要約】【課題】支持台の上部の孔から、飲料が侵入しても電気部品に飲料が付着することを抑制する支持台を提供することを目的とする。【解決手段】本体ケース３内の回動体の回動軸上に設けたスリップリング３０と、スリップリング３０の上部に設けたスリップリングカバー３１とを備えている。中継コード２６は、回動体の孔１１からスリップリングカバー３１まで延びた連通孔３２と、スリップリングカバー３１に上下方向に開口した孔３３とを通り、スリップリング３０と電気的に接続されている。スリップリングカバー３１には、スリップリングカバー３１から上方に延び、スリップリングカバー３１を２つの区画に仕切る仕切リブ３４を設け、連通孔３２は、スリップリングカバー３１の一方側区画３５の上方に配置され、孔３３は、スリップリングカバー３１の他方側区画３６に配置されることを特徴とする。【選択図】図６
2017172363.tif 000002
【特許請求の範囲】
【請求項１】
送風機を支持する支持台であって、
前記支持台は、
本体ケースと、
前記本体ケース内に設けたモータと、
前記モータによって回動する回動体と、
前記送風機に電気的に接続可能な中継コードと、
前記本体ケース内に設けた前記中継コードと基板部とを電気的に接続するスリップリングと、
前記スリップリングの上に設けたスリップリングカバーとを備え、
前記回動体は孔を備え、
前記本体ケース内には前記孔から前記スリップリングカバーまで延びた連通孔を備え、
前記中継コードは、
前記連通孔と前記スリップリングカバーに上下方向に開口した孔とを通り、
前記スリップリングと電気的に接続され、
前記スリップリングカバーには、
前記スリップリングカバーから上方に延び、
前記スリップリングカバーを２つの区画に仕切る仕切リブを設け、
前記連通孔は、
前記スリップリングカバーの一方側区画の上方に配置され、
前記孔は、
前記スリップリングカバーの他方側区画に配置されることを特徴とする支持台。
【請求項２】
前記スリップリングカバーの前記一方側区画の周縁は、
前記スリップリングの周縁より外方に位置する構成であることを特徴とする請求項１に記載の支持台。
【請求項３】
前記スリップリングカバーの前記一方側区画の上方には、
前記中継コードを保持するコード保持部を備え、
前記コード保持部と前記スリップリングカバーとは所定の距離を有して配置されたことを特徴とする請求項１または２に記載の支持台。
【請求項４】
前記スリップリングカバーの前記一方側区画には、
前記コード保持部から前記中継コードが前記スリップリングカバーに近づくことを抑制するコード保持補助部を備えたことを特徴とする請求項３に記載の支持台。
【発明の詳細な説明】
【技術分野】
【０００１】
本発明は、例えば、送風により清涼感を与えたり空間内の空気循環を促したりする送風機を支持する支持台に関するものである。
【背景技術】
【０００２】
従来この種の支持台は、支持台の上に送風機が置かれ、支持台の回動により送風機が回動し送風方向を変えるものが知られていた（例えば特許文献１参照）。
【０００３】
支持台は、モータを備えた本体ケースと、本体ケースの上方にモータによって回動する回動体とを備えている。回動体の上部には、球形の送風機を備えていた。
【先行技術文献】
【特許文献】
【０００４】
【特許文献１】特開２０１５−１７５３０９号公報
【発明の概要】
【発明が解決しようとする課題】
【０００５】
このような従来の支持台においては、机の上に置いて使用する場合があるので、使用者が水などの飲料をこぼすなどすると、飲料が支持台の上部の孔から浸入することが考えられる。電気部品に飲料が付着すると故障の原因となる。
【０００６】
そこで本発明は、支持台の上部の孔から、飲料が侵入しても電気部品に飲料が付着することを抑制する支持台を提供することを目的とする。
【課題を解決するための手段】
【０００７】
上述の目的を達成するために、本発明は、送風機を支持する支持台であって、前記支持台は、上部に開口を有した本体ケースと、前記本体ケースの上部に回動自在に設けられた回動体と、前記回動体に固定され前記送風機に電気的に接続可能な中継コードと、前記本体ケース内に設けられた前記回動体を回動するモータと、前記本体ケース内の前記回動体の回動軸上に設けたスリップリングと、前記スリップリングの上部に設けたスリップリングカバーとを備え、前記中継コードは、前記回動体に設けた上下方向に延びた連通孔と、前記本体ケースの前記開口と、前記スリップリングカバーに上下方向に開口した孔とを通り、前記スリップリングと電気的に接続され、前記スリップリングカバーには、前記スリップリングカバーから上方に延び、前記スリップリングカバーを２つの区画に仕切る仕切リブを設け、前記連通孔は、前記スリップリングカバーの一方側区画の上方に配置され、前記孔は、前記スリップリングカバーの他方側区画に配置されることを特徴とすることを特徴とし、これにより所期の目的を達成するものである。
【発明の効果】
【０００８】
本発明に係る送風装置によれば、送風機を支持する支持台であって、前記支持台は、上部に開口を有した本体ケースと、前記本体ケースの上部に回動自在に設けられた回動体と、前記回動体に固定され前記送風機に電気的に接続可能な中継コードと、前記本体ケース内に設けられた前記回動体を回動するモータと、前記本体ケース内の前記回動体の回動軸上に設けたスリップリングと、前記スリップリングの上部に設けたスリップリングカバーとを備え、前記中継コードは、前記回動体に設けた上下方向に延びた連通孔と、前記本体ケースの前記開口と、前記スリップリングカバーに上下方向に開口した孔とを通り、前記スリップリングと電気的に接続され、前記スリップリングカバーには、前記スリップリングカバーから上方に延び、前記スリップリングカバーを２つの区画に仕切る仕切リブを設け、前記連通孔は、前記スリップリングカバーの一方側区画の上方に配置され、前記孔は、前記スリップリングカバーの他方側区画に配置されることを特徴とするものである。
【０００９】
このように、中継コードは、回動体に設けた上下方向に延びた連通孔と、本体ケースの開口と、スリップリングカバーに上下方向に開口した孔とを通り、スリップリングと電気的に接続される。スリップリングカバーには、スリップリングカバーから上方に延び、スリップリングカバーを２つの区画に仕切る仕切リブを設けている。連通孔は、スリップリングカバーの一方側区画の上方に配置され、孔は、スリップリングカバーの他方側区画に配置される。これにより、回動体の連通孔から浸入した水は、スリップリングカバーの一方側区画に滴下するが、仕切リブによって、スリップリングカバーの他方側区画の孔を介してスリップリングに浸入することを抑制できる。
【図面の簡単な説明】
【００１０】
【図１】本発明の実施の形態１に係る送風機と支持台の外観図
【図２】同支持台の外観図
【図３】同支持台の断面図
【図４】同支持台の分解図
【図５】同支持台の断面図
【図６】同支持台のスリップリングとスリップリングカバーとコード保持部とを示す斜視図
【図７】同支持台のスリップリングとスリップリングカバーとコード保持部とを示す断面斜視図
【図８】同支持台の連通孔を示す断面図
【図９】同支持台のコード保持部を示す斜視図
【発明を実施するための形態】
【００１１】
（実施の形態１）
以下、添付図面を参照して、本発明の実施の形態につき説明し、本発明の理解に供する。
【００１２】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１３】
以下、本発明の実施の形態１に係る支持台について説明する。
【００１４】
図１は、本発明の実施の形態１に係る送風機と支持台の外観図である。図２は、本発明の実施の形態１に係る支持台の外観図である。
【００１５】
図１、２に示すように、支持台１の上部には、送風機２が置かれている。支持台１は、支持台１の下部には本体ケース３を備え、支持台１の上部には回動体４を備えている。回動体４は、本体ケース３の上において本体ケース３の下面と平行した面に対して回動自在に設けられている。回動体４の中央から中継コード２６が延び、本体ケース３の側面から電源コード２０が延びている。電源コード２０と中継コード２６とは、電気的に接続されている。
【００１６】
図３は、本発明の実施の形態１に係る支持台の断面図である。図４は、本発明の実施の形態１に係る支持台の分解図である。
【００１７】
図３、４に示すように、回動体４は、送風機２を支持する支持部５と、支持部の下部に固定された摺動部６とを備えている。
【００１８】
支持部５は、上方が開口した椀形状で、略円板形状の底板７と、底板７の周縁部から上方へ突出した凸部８とを備えている。底板７の中央には孔９を備え、孔９の下方には孔９の開口縁から下方に延びた一部が切り欠かれた筒形状の筒部１０を備えている。
【００１９】
摺動部６は、支持部５の底面に沿う上方が開口した椀形状で、中央には孔１１を備えている。摺動部６は、孔１１の開口縁から下方に延びた筒形状の軸部１２を備えている。支持部５の底面に摺動部６を固定すると、摺動部６の軸部１２内に、支持部５の筒部１０が入り、摺動部６の軸部１２の中心軸と、支持部５の筒部１０の中心軸とが同軸上に配置される構成である。
【００２０】
本体ケース３は、上面１３と下面（図示せず）が塞がれた略円筒形状で、下面から上面１３に向かうにつれて側面は内方へ傾斜する形状である。本体ケース３の上面１３の面積は下面の面積より小さく、円形状の上面１３の中央には、円形の上面開口１４を設けている。
【００２１】
上面開口１４には、円環形状のベアリング１５が、回転軸が上下方向となるように固定されている。ベアリング１５内には、回動体４の摺動部６から延びた軸部１２が嵌り、回動体４が本体ケース３の下面と平行した面に対して回動自在に支持される。
【００２２】
本体ケース３の側面には、円形の側面開口１６を設けている。側面開口１６からは、回転式のスイッチ１７のつまみ部１８が突出している。本体ケース３の側面下部から、後述する基板部１９と電気的に接続された電源コード２０が、本体ケース３の外方へ延びている。
【００２３】
図５は、本発明の実施の形態１に係る支持台の断面図である。
【００２４】
図３、５に示すように、本体ケース３内には、基板部１９と、モータ２１と、第１の歯車２２と、第２の歯車２３とを備えている。
【００２５】
基板部１９は、平板形状で、一方側の平面が側面開口１６に対向するように本体ケース３内に設けられている。一方側の平面には、側面開口１６に対向するように回転式のスイッチ１７が、固定されている。スイッチ１７は、基板部１９の一方側もしくは他方側のどちらか一平面、もしくは両平面に形成された導体パターン（図示せず）と電気的に接続されている。
【００２６】
スイッチ１７には、スイッチ１７から側面開口１６へ延びる棒状のスイッチシャフト２４を備えている。このスイッチシャフト２４は、スイッチ１７に対して回動し、スイッチシャフト２４の先端には回転軸は、側面開口１６の中心軸上に配置されている。スイッチシャフト２４には、つまみ部１８が装着され、つまみ部１８は側面開口１６から本体ケース３外へ突出している。
【００２７】
モータ２１は、本体ケース３内に回転軸２５が上下方向に向くように設けられ、回転軸２５には第１の歯車２２が固定されている。モータ２１は、第１の歯車２２が第２の歯車２３と組み合うように本体ケース３内の側面寄りに配置されている。モータ２１は、基板部１９の導体パターンと電気的に接続されている。
【００２８】
第２の歯車２３は、回動体４から延びた軸部１２に装着され、回動体４の回転軸上に、第２の歯車２３の回転中心が配置されている。第２の歯車２３の直径は、第１の歯車２２の直径より大きい。なお、第１の歯車２２および第２の歯車２３の一例は、樹脂材料で成型された平歯車である。
【００２９】
以上の構成の支持台の動作を説明する。つまみ部１８でスイッチ１７を操作すると、電源コード２０からモータ２１へ電圧が印加され、モータ２１が回動する。モータ２１が回動すると、第１の歯車２２が回動し、第１の歯車２２と組み合わさった第２の歯車２３も回動する。第２の歯車２３が回動すると、摺動部６の軸部１２を介して、送風機２を支持した回動体４が回動する。これにより支持台１の上に置かれた送風機２を回転させることができ、の送風方向を変化させることができる。
【００３０】
図６は、本発明の実施の形態１に係る支持台のスリップリングとスリップリングカバーとコード保持部とを示す斜視図である。図７は、本発明の実施の形態１に係る支持台のスリップリングとスリップリングカバーとコード保持部とを示す断面斜視図である。図８は、本発明の実施の形態１に係る支持台の連通孔を示す断面図である。
【００３１】
図３、６、７、８に示すように、回動体４は、送風機２に電気的に接続可能な中継コード２６を備えている。回動体４が回動すると、送風機２と、送風機２に接続された中継コード２６とが回動する。この回動時に、本体ケース３内で中継コード２６に屈曲、ねじれが発生しないように、本体ケース３内の下部には、スリップリング３０を備えている。
【００３２】
スリップリング３０は、スリップリング固定部３０Ａと、スリップリング回動部３０Ｂとを備えている。スリップリング固定部３０Ａは、本体ケース３内に固定され、基板部１９から延びた電線３０Ｃと電気的に接続されている。スリップリング回動部３０Ｂは、スリップリング固定部３０Ａに対して回動自在に装着され、スリップリング固定部３０Ａおよび中継コード２６と電気的に接続されている。スリップリング回動部３０Ｂの回動中心は、回動体４の回動中心上に配置されている。これにより、回動体４が回動すると、送風機２と、送風機２に接続された中継コード２６と、スリップリング回動部３０Ｂとが回動するので、本体ケース３内で中継コード２６に屈曲、ねじれが発生することを抑制できる。
【００３３】
スリップリング３０の上方には、スリップリングカバー３１が設けられている。スリップリングカバー３１は、略円板形状の樹脂板である。スリップリングカバー３１の他方面（下面）の中央部には、スリップリング回動部３０Ｂ側（下方）に延びた軸部３１Ａを備えている。スリップリング回動部３０Ｂの上部には、軸部３１Ａが嵌る軸穴部３０Ｄを設けている。スリップリングカバー３１の軸部３１Ａを、スリップリング回動部３０Ｂの軸穴部３０Ｄに嵌め、スリップリング回動部３０Ｂの回動方向にスリップリングカバー３１を回動させると、スリップリング回動部３０Ｂも回動する。軸部３１Ａの一例は、円柱をＤ形状に加工（Ｄカット）された形状である。スリップリングカバー３１は、上下方向に開口した孔３３を備えている。
【００３４】
回動体４に固定された中継コード２６は、回動体の孔９からスリップリングカバー３１まで延びた連通孔３２（図８）と、スリップリングカバー３１に上下方向に開口した孔３３とを通り、スリップリング３０と電気的に接続されている。
【００３５】
本実施の形態における特徴は、スリップリングカバー３１の形状である。スリップリングカバー３１には、スリップリングカバー３１の上面から上方に延び、スリップリングカバー３１を２つの区画に仕切る仕切リブ３４を設け、連通孔３２は、スリップリングカバー３１の一方側区画３５の上方に配置され、孔３３は、スリップリングカバー３１の他方側区画３６に配置されている点である。
【００３６】
これにより、回動体４の孔９から連通孔３２へ浸入した水は、スリップリングカバー３１の一方側区画３５に滴下するが、仕切リブ３４によって、スリップリングカバー３１の他方側区画３６の孔３３を介してスリップリング３０に浸入することを防止できる。
【００３７】
また、スリップリングカバー３１の一方側区画３５の周縁は、スリップリング３０の周縁より外方に位置する構成である。つまり、本体ケース３の上部から見ると、スリップリングカバー３１は、スリップリング３０より大きく、スリップリング３０は、スリップリングカバー３１に覆われている。なお、スリップリングカバー３１の回動中心は、スリップリング回動部３０Ｂの回動中心上に配置されている。
【００３８】
これにより、回動体４の孔９から連通孔３２へ浸入し、スリップリングカバー３１の一方側区画３５に滴下した水は、スリップリングカバー３１の一方側区画３５の周縁から滴下しても、スリップリング３０の周縁より外方に滴下するので、スリップリング３０には滴下しない。結果として、スリップリング３０に浸入することを抑制できる。なお、スリップリングカバー３１から滴下した水は、本体ケース３内の基板部１９、モータ２１へ流れることなく、本体ケース３の孔（図示せず）から本体ケース３外へ流れ出す。
【００３９】
図９は、本発明の実施の形態１に係る支持台のコード保持部を示す斜視図である。
【００４０】
図６、９に示すように、スリップリングカバー３１の一方側区画３５の上方には、中継コード２６を保持するコード保持部３７を備え、コード保持部３７とスリップリングカバー３１とは所定の距離を有して配置されている。コード保持部３７は、略円板形状の固定部分３８と、固定部分に設けた２つの孔３９と、固定部分３８からスリップリングカバー３１の方向へ突出した２つの第１のリブ部分４０とを備えている。
【００４１】
具体的には、略円板形状の固定部分３８の中央部には２つの孔３９を備え、回動体４の下端には２つの孔に対向するねじ穴（図示せず）を設けている。固定部分３８は、固定部分３８の一方面（上面）が回動体４の下端と接触した状態で、孔３９を介して、回動体４のねじ穴にねじ止めされたねじ（図示せず）によって回動体４に固定されている。固定部分３８の他方面（下面）部には、下方に延びた２枚の平板形状の第１のリブ部分４０を備えている。この２枚の平板形状の第１のリブ部分４０の間に中継コード２６の一部が嵌り、第１のリブ部分４０の間に保持される。第１のリブ部分４０とスリップリングカバー３１とは所定の距離を有して配置されている。つまり、中継コード２６は、スリップリングカバー３１の一方側区画３５から所定の距離を有して配置されている。
【００４２】
これにより、回動体４の孔９から連通孔３２へ浸入した水が、スリップリングカバー３１の一方側区画３５に滴下しても、中継コード２６がスリップリングカバー３１の一方側区画３５に溜まった水に浸漬することを抑制できる。
【００４３】
また、スリップリングカバー３１の一方側区画３５には、コード保持部３７から中継コード２６がスリップリングカバー３１に近づくことを抑制するコード保持補助部４１を備えている。コード保持補助部４１は、スリップリングカバー３１から固定部分３８のコード保持部３７に挟まれた中継コード２６の方向（上方向）へ突出した２つの平板形状のリブである。固定部分３８のコード保持部３７に挟まれた中継コード２６が下方へ移動すると、コード保持補助部４１であるリブの先端に当たり、中継コード２６が下方へ移動することを防止する。
【産業上の利用可能性】
【００４４】
送風により清涼感を与えたり空間内の空気循環を促したりする送風機の支持台として有用である。
【符号の説明】
【００４５】
１    支持台
２    送風機
３    本体ケース
４    回動体
５    支持部
６    摺動部
７    底板
８    凸部
９    孔
１０    筒部
１１    孔
１２    軸部
１３    上面
１４    上面開口
１５    ベアリング
１６    側面開口
１７    スイッチ
１８    つまみ部
１９    基板部
２０    電源コード
２１    モータ
２２    第１の歯車
２３    第２の歯車
２４    スイッチシャフト
２５    回転軸
２６    中継コード
３０    スリップリング
３０Ａ    スリップリング固定部
３０Ｂ    スリップリング回動部
３０Ｃ    電線
３０Ｄ    軸穴部
３１    スリップリングカバー
３１Ａ    軸部
３２    連通孔
３３    孔
３４    仕切リブ
３５    一方側区画
３６    他方側区画
３７    コード保持部
３８    固定部分
３９    孔
４０    第１のリブ部分
４１    コード保持補助部
【図１】
2017172363.tif 000003
【図２】
2017172363.tif 000004
【図３】
2017172363.tif 000005
【図４】
2017172363.tif 000006
【図５】
2017172363.tif 000007
【図６】
2017172363.tif 000008
【図７】
2017172363.tif 000009
【図８】
2017172363.tif 000010
【図９】
2017172363.tif 000011